(57)【要約】  本発明は、液状組成物に基づいて、（ａ）約７１〜７６重量％の１種以上のＣ８〜Ｃ２２脂肪酸モノエタノールアミド、（ｂ）約１５〜１７重量％の水および（ｃ）約１０〜１２重量％の１種以上のヒドロトロープを含んでなり、５５℃未満の温度で均質、ポンプ輸送可能および色安定である脂肪酸モノエタノールアミド液状濃厚組成物を開示する。好ましい態様は、液状組成物に基づいて、（ａ）約７１〜７６重量％のコカミドモノエタノールアミド（ＣＭＥＡ）、（ｂ）約１５〜１７重量％の水および（ｃ）約１０〜１２重量％のグリセロールからなるＣＭＥＡ液状濃厚組成物である。液状濃厚組成物の製造方法も開示する。脂肪酸モノエタノールアミド液状濃厚組成物は、化粧品および医薬品の製造に有用である。
2013521999.tif 000002
【特許請求の範囲】
【請求項１】
（ａ）液状組成物に基づいて約７１〜７６重量％の１種以上のＣ８〜Ｃ２２脂肪酸モノエタノールアミド、
（ｂ）液状組成物に基づいて約１５〜１７重量％の水、および
（ｃ）液状組成物に基づいて約１０〜１２重量％の１種以上のヒドロトロープ
を含んでなり、５５℃未満の温度で均質、ポンプ輸送可能および色安定である脂肪酸モノエタノールアミド液状組成物。
【請求項２】
ヒドロトロープが、グリセロール、プロピレングリコール、ジエチレングリコール、トリエチレングリコール、エタノール、イソプロパノールおよびそれらの組み合わせからなる群から選択される、請求項１に記載の液状組成物。
【請求項３】
ヒドロトロープがグリセロールを含んでなる、請求項２に記載の液状組成物。
【請求項４】
１種以上の化粧品用および／または医薬品用成分を更に含んでなる、請求項１に記載の液状組成物。
【請求項５】
化粧品用および／または医薬品用成分が、油成分、他の界面活性剤、防腐剤、酸化防止剤、増粘剤、粘度調節剤および香料からなる群から選択される、請求項４に記載の液状組成物。
【請求項６】
液状組成物に基づいて、
（ａ）約７４重量％のコカミドモノエタノールアミド、
（ｂ）約１６重量％の水、および
（ｃ）約１０重量％のグリセロール
を含んでなる、請求項１に記載の液状組成物。
【請求項７】
（ａ）１種以上のＣ８〜Ｃ２２脂肪酸モノエタノールアミドとグリセロール、好ましくはコカミドモノエタノールアミドとグリセロールから本質的になる混合物を供給する工程、
（ｂ）水を添加する工程、
（ｃ）任意に、付加的なヒドロトロープ、好ましくはグリセロールを添加する工程、および
（ｄ）少なくとも５０℃の温度に加熱して混合する工程
を含む、脂肪酸モノエタノールアミド、好ましくはコカミドモノエタノールアミドの液状組成物の製造方法であって、液状組成物が、５５℃未満、好ましくは約５０℃の温度で均質、ポンプ輸送可能および色安定である方法。
【請求項８】
脂肪酸モノエタノールアミドとグリセロールとの混合物が、約８９％のコカミドモノエタノールアミドおよび約１１％のグリセロールから本質的になる、請求項７に記載の方法。
【請求項９】
液状組成物に基づいて、コカミドモノエタノールアミドとグリセロールとの混合物が約８０〜８５重量％存在し、水を約１５〜１７重量％添加し、付加的なグリセロールを約１〜３重量％添加する、請求項８に記載の方法。
【請求項１０】
液状組成物に基づいて、コカミドモノエタノールアミドとグリセロールとの混合物が約８３重量％存在し、水を約１６重量％添加し、付加的なグリセロールを約１重量％添加する、請求項９に記載の方法。
【請求項１１】
脂肪酸モノエタノールアミドがコカミドモノエタノールアミドを含んでなり、液状組成物に基づいて約７１〜７６重量％存在する、請求項７に記載の方法。
【請求項１２】
水を、液状組成物に基づいて約１５〜１７重量％添加する、請求項１１に記載の方法。
【請求項１３】
グリセロールが、液状組成物に基づいて約１０〜１２重量％存在する、請求項１２に記載の方法。
【請求項１４】
（ａ）１種以上のＣ８〜Ｃ２２脂肪酸モノエタノールアミド、好ましくはコカミドモノエタノールアミドを供給する工程、
（ｂ）液状組成物に基づいて、約１５〜１７重量％の水および約１０〜１２重量％のヒドロトロープ、好ましくはグリセロールを添加する工程、および
（ｃ）少なくとも５０℃の温度に加熱して混合する工程
を含む、コカミドモノエタノールアミド液状組成物の製造方法であって、液状組成物が、５５℃未満の温度で均質、ポンプ輸送可能および色安定である方法。
【請求項１５】
液状組成物に基づいて約１６重量％の水および約１０重量％のグリセロールを、コカミドモノエタノールアミドに添加する、請求項１４に記載の方法。
【請求項１６】
５０℃で約５００００ｃｐｓ以下、好ましくは５０℃で約１８０００ｃｐｓ以下のブルックフィールド粘度を有する、請求項１に記載の液状組成物。
【請求項１７】
液状組成物のブルックフィールド粘度が、５０℃で約５００００ｃｐｓ以下、好ましくは５０℃で約１８０００ｃｐｓ以下である、請求項７に記載の方法。
【請求項１８】
液状組成物のブルックフィールド粘度が、５０℃で約５００００ｃｐｓ以下、好ましくは５０℃で約１８０００ｃｐｓ以下である、請求項１４に記載の方法。
【発明の詳細な説明】
【技術分野】
【０００１】
本発明は、化粧品および医薬品に使用するための、向上した取扱い性および安定性を有する、非イオン性界面活性剤である脂肪酸モノエタノールアミド、特にコカミドモノエタノールアミド（ＣＭＥＡ）の液状濃厚組成物の製造方法を対象とする。
【背景技術】
【０００２】
非イオン性界面活性剤、乳化剤および／または一般的な助剤として作用する脂肪酸モノエタノールアミドは、化粧品および医薬品の成分として有用である。これに関して、コカミドモノエタノールアミド（ＣＭＥＡ）が特に有用な化合物である。ＣＭＥＡは固体である。ＣＭＥＡの市販固体組成物の１つであるCOMPERLAN（登録商標） CMEA（Cognis Corporationから市販）は、８９％のＣＭＥＡおよび１１％のグリセロールからなり、約６２〜６６℃の溶融範囲を有する。脂肪酸モノエタノールアミド製品、特にＣＭＥＡ製品は、典型的にはペレットまたはフレークとして供給されている。しかしながら、輸送および製造の際の移動を容易にするために、液状濃厚物として製品を取り扱うことが望まれている。そのような液状組成物は、製造コスト、包装コスト、輸送コストおよび貯蔵コストを削減する。しかしながら、６５℃で溶融状態に保持したCOMPERLAN（登録商標） CMEAは、パーソナルケア製品または医薬品にとって許容できない程度（ガードナー色指数＞１１）まで迅速に暗色化する。
【発明の概要】
【発明が解決しようとする課題】
【０００３】
従って、取扱い、輸送および貯蔵のエネルギーを節約するために、比較的低温で安定かつ液体であるＣＭＥＡ濃厚組成物が望まれている。そのような組成物はまた、製造作業および輸送作業を容易にするために、低い粘度を有し、ポンプ輸送可能でなければならない。
【課題を解決するための手段】
【０００４】
意外なことに、特定かつ狭い範囲の水およびグリセロールを含有する脂肪酸モノエタノールアミド液状濃厚組成物、特にＣＭＥＡ液状濃厚組成物がこれらの基準を満たすことが見出された。
【０００５】
特定の量の水およびヒドロトロープを脂肪酸モノエタノールアミドに添加することにより、５５℃未満の温度で、特に約５０℃で液体であり、所望の安定性および物理的性質を示す濃厚組成物が生成する。とりわけ、水およびグリセロールのＣＭＥＡへの添加により、所望の特性を有する濃厚組成物が生成する。
【０００６】
本発明の１つの態様は、
（ａ）約７１〜７６重量％の１種以上の脂肪酸モノエタノールアミド、
（ｂ）約１５〜１７重量％の水、および
（ｃ）約１０〜１２重量％の１種以上のヒドロトロープ、好ましくはグリセロール
（全ての重量パーセントは液状組成物に基づく）を含んでなり、５５℃未満の温度で、特に約５０℃で均質、ポンプ輸送可能および色安定である脂肪酸モノエタノールアミド液状濃厚組成物である。
【０００７】
好ましい態様は、成分（ａ）、（ｂ）および（ｃ）のみからなるＣＭＥＡ液状濃厚組成物である。特に好ましい態様は、約７４重量％のＣＭＥＡ、約１６重量％の水および約１０重量％のグリセロールからなる。
【０００８】
本発明の別の態様は、
（ａ）１種以上の脂肪酸モノエタノールアミドとグリセロールから本質的になる混合物を供給する工程、
（ｂ）水を添加する工程、
（ｃ）任意に、付加的なヒドロトロープ、好ましくはグリセロールを添加する工程、および
（ｄ）少なくとも５０℃の温度に加熱して混合する工程
を含む、脂肪酸モノエタノールアミド液状組成物の製造方法であって、液状組成物が、５５℃未満の温度で、特に約５０℃で均質、ポンプ輸送可能および色安定である方法である。
【０００９】
好ましい態様は、工程（ａ）〜（ｄ）のみからなる方法である。混合物（ａ）が約８９％のＣＭＥＡおよび約１１％のグリセロールからなることが好ましい。
【００１０】
本発明の別の態様は、
（ａ）所定量の１種以上の脂肪酸モノエタノールアミドを供給する工程、
（ｂ）液状組成物に基づいて、約１５〜１７重量％の水および約１０〜１２重量％のヒドロトロープ、好ましくはグリセロールを添加する工程、および
（ｃ）少なくとも５０℃の温度に加熱して混合する工程
を含む、脂肪酸モノエタノールアミド液状組成物の製造方法であって、液状組成物が、５５℃未満の温度で、特に約５０℃で均質、ポンプ輸送可能および色安定である方法である。
【００１１】
好ましい態様は、工程（ａ）、（ｂ）および（ｃ）のみからなる方法である。特に好ましい態様は、約７４重量％のＣＭＥＡ、約１６重量％の水および約１０重量％のグリセロールからなる方法である。
【００１２】
本発明の液状濃厚組成物は、ポンプ輸送可能であり、５０℃で約５００００ｃｐｓ以下、好ましくは５０℃で約１８０００ｃｐｓ以下のブルックフィールド粘度を有する。
【図面の簡単な説明】
【００１３】
【図１】８３％のCOMPERLAN（登録商標） CMEA、１６％の水および１％の付加的なグリセロールからなる本発明の好ましい態様の粘度曲線を示す。
【図２】COMPERLAN（登録商標） CMEAおよび１６％の水または１７％の水からなる本発明の２つの好ましい態様の粘度曲線を示す。
【発明を実施するための形態】
【００１４】
流動する温度で保持しても分離および暗色化に対して安定であり、狭い濃度範囲で水およびヒドロトロープを脂肪酸モノエタノールアミドに添加することによって製造できる、均質、流動性およびポンプ輸送可能な脂肪酸モノエタノールアミド液状濃厚組成物を見出した。本発明の液状濃厚組成物は、非イオン性界面活性剤の有利な保存方法、配送方法、加工方法および一般的な取扱い方法をもたらし、それによって製造工程は簡素化され、コストは低減される。特に好ましい生成物は、ＣＭＥＡ液状濃厚組成物である。
【００１５】
本発明のために、用語「液状」とは、特定の温度または温度範囲で「液体」または「溶融体」であることを意味する。用語「ポンプ輸送可能」は、ホームおよび／またはパーソナルケア製品生産プラントにおける通常の製造工程において一般に理解されているように定義する。
【００１６】
脂肪酸モノエタノールアミド液状濃厚組成物
本発明の１つの態様は、
（ａ）液状組成物に基づいて約７１〜７６重量％の１種以上の脂肪酸モノエタノールアミド、
（ｂ）液状組成物に基づいて約１５〜１７重量％の水、および
（ｃ）液状組成物に基づいて約１０〜１２重量％の１種以上のヒドロトロープ
を含んでなり、５５℃未満の温度で、特に約５０℃で均質、ポンプ輸送可能および色安定である脂肪酸モノエタノールアミド液状濃厚組成物を対象とする。
【００１７】
成分（ａ）として、Ｃ８〜Ｃ２２脂肪酸のモノエタノールアミドが好ましい。脂肪酸基は、飽和または不飽和、分岐または直鎖であってよく、混合物、例えば天然源由来の混合物であってよい。特に好ましい脂肪酸混合物はヤシ脂肪酸である。
【００１８】
ヒドロトロープは、化粧品および医薬品分野でよく知られている助剤である。本発明のために、成分（ｃ）のヒドロトロープは、グリセロール、プロピレングリコール、ジエチレングリコール、トリエチレングリコール、エタノール、イソプロパノールおよびそれらの組み合わせから選択してよいが、これらに限定されない。特に好ましいヒドロトロープはグリセロールである。
【００１９】
脂肪酸モノエタノールアミド液状組成物は、１種以上の化粧品用および／または医薬品用成分を更に含んでよい。そのような成分は、油成分、他の界面活性剤、防腐剤、酸化防止剤、増粘剤、粘度調節剤および香料を包含してよいが、これらに限定されない。
【００２０】
本発明の別の態様は、脂肪酸モノエタノールアミド液状組成物の製造方法を対象とする。脂肪酸モノエタノールアミド液状濃厚組成物の第一の製造方法は、
（ａ）１種以上の脂肪酸モノエタノールアミドとグリセロールから本質的になる混合物を供給する工程、
（ｂ）水を添加する工程、
（ｃ）任意に、付加的なヒドロトロープを添加する工程、および
（ｄ）少なくとも５０℃の温度に加熱して混合する工程
を含み、液状組成物は、５５℃未満の温度で、好ましくは約５０℃で均質、ポンプ輸送可能および色安定である。
【００２１】
付加的なヒドロトロープ（ｃ）は、成分（ａ）中に既に存在しているようなグリセロール、または異なるヒドロトロープを含んでよい。付加的なヒドロトロープ（ｃ）がグリセロールを含むことが好ましい。
【００２２】
成分（ａ）として、Ｃ８〜Ｃ２２脂肪酸のモノエタノールアミドが好ましい。脂肪酸基は、飽和または不飽和、分岐または直鎖であってよく、混合物、例えば天然源由来の混合物であってよい。混合物の脂肪酸モノエタノールアミド成分（ａ）が、脂肪酸モノエタノールアミドとグリセロールとの混合物に基づいて約８９重量％のコカミドモノエタノールアミドを含むことが好ましい。この混合物は、液状組成物に基づいて、好ましくは約８０〜８５重量％、最も好ましくは約８３重量％存在する。液状組成物は、液状組成物に基づいて、好ましくは約１５〜１７重量％、最も好ましくは約１６重量％の水を含み、好ましくは約１〜３重量％、最も好ましくは約１重量％の付加的なグリセロールを含む。ＣＭＥＡとグリセロールとの８９：１１混合物に基づくと、これらの百分率は、液状組成物に基づいて、約７１〜７６％、最も好ましくは約７４％の脂肪酸モノエタノールアミド、および約１０〜１２％、最も好ましくは約１０％のグリセロールに相当する。
【００２３】
脂肪酸モノエタノールアミド液状組成物の第二の製造方法は、
（ａ）所定量の１種以上の脂肪酸モノエタノールアミドを供給する工程、
（ｂ）液状組成物に基づいて、約１５〜１７重量％、好ましくは約１６重量％の水および約１０〜１２重量％、好ましくは約１０重量％のヒドロトロープを添加する工程、および
（ｃ）少なくとも５０℃の温度に加熱して混合する工程
を含み、液状組成物は、５５℃未満、好ましくは約５０℃の温度で均質、ポンプ輸送可能および色安定である。
【００２４】
本発明の液状濃厚組成物は、ポンプ輸送可能であり、５０℃で約５００００ｃｐｓ以下、好ましくは５０℃で約１８０００ｃｐｓ以下のブルックフィールド粘度を有する。
【００２５】
ヒドロトロープがグリセロールを含むことが好ましい。成分（ａ）として、Ｃ８〜Ｃ２２脂肪酸のモノエタノールアミドが好ましい。脂肪酸基は、飽和または不飽和、分岐または直鎖であってよく、混合物、例えば天然源由来の混合物であってよい。特に好ましい脂肪酸混合物は、ヤシ脂肪酸である。
【００２６】
コカミドモノエタノールアミド（ＣＭＥＡ）液状濃厚組成物
脂肪酸モノエタノールアミドとして、コカミドモノエタノールアミド（ＣＭＥＡ）が好ましい。ＣＭＥＡの特に好ましい供給源は、Cognis Corporationから市販されており、８９％のＣＭＥＡおよび１１％のグリセロールからなるCOMPERLAN（登録商標） CMEAである。１５〜１７％の水をCOMPERLAN（登録商標） CMEAに添加することによって、初期溶融範囲を約５０℃に低下することができる。ＣＭＥＡ、水およびグリセロールを含有する生成組成物は、それほど暗色化せず、液体状態で、５０℃で６週間後、最大ガードナー色指数７に達する。グリセロールの更なる添加は、ガードナー色指数によって測定する５０℃での色安定性も、経時的な相安定性から明らかにされる貯蔵安定性も高める。意外なことに、５０℃で、
１）工業的な加工作業および取扱作業に適したポンプ輸送可能な粘度、
２）相分離を伴わない均質性、および
３）許容できる色安定性
の望ましい組み合わせを与える組成物は、その成分が以下の狭い範囲：
７１〜７６％のＣＭＥＡ（８０〜８５％のCOMPERLAN（登録商標） CMEAに相当）、
１５〜１７％の水、
１０〜１２％のグリセロール（上記COMPERLAN（登録商標） CMEAに加えて１〜３％のグリセロール）
である場合にのみ見られることが見出された。
【００２７】
本発明の１つの態様は、液状組成物に基づいて、
（ａ）約７１〜７６重量％のコカミドモノエタノールアミド、
（ｂ）約１５〜１７重量％の水、および
（ｃ）約１０〜１２重量％のグリセロール
を含んでなり、５５℃未満の温度で、特に約５０℃で均質、ポンプ輸送可能および安定であるＣＭＥＡ液状組成物を対象とする。
【００２８】
本発明の好ましい態様は、液状組成物に基づいて、
（ａ）約７４重量％のコカミドモノエタノールアミド、
（ｂ）約１６重量％の水、および
（ｃ）約１０重量％のグリセロール
を含んでなる。
【００２９】
本発明の液状濃厚組成物は、ポンプ輸送可能であり、５０℃で約５００００ｃｐｓ以下、好ましくは５０℃で約１８０００ｃｐｓ以下のブルックフィールド粘度を有する。
【００３０】
本発明の別の態様は、ＣＭＥＡ液状組成物の製造方法を対象とする。コカミドモノエタノールアミド液状組成物の第一の製造方法は、
（ａ）コカミドモノエタノールアミドとグリセロールから本質的になる混合物を供給する工程、
（ｂ）水を添加する工程、
（ｃ）任意に、付加的なグリセロールを添加する工程、および
（ｄ）少なくとも５０℃の温度に加熱して混合する工程
を含み、液状組成物は、５５℃未満の温度で、特に約５０℃で均質、ポンプ輸送可能および安定である。
【００３１】
好ましくは、混合物（ａ）は、ＣＭＥＡおよびグリセロールからなっており、市販品COMPERLAN（登録商標） CMEAに代表される、約８９％のＣＭＥＡおよび約１１％のグリセロールである。混合物（ａ）が、液状濃厚組成物に基づいて約８０〜８５重量％存在するとき、液状濃厚組成物に基づいて、ＣＭＥＡは約７１〜７６％の最適重量範囲で存在し、グリセロールは約９重量％存在する。場合により、約１〜３重量％のグリセロールを更に添加して、グリセロール含量を、液状濃厚組成物に基づいて約１０〜１２％の最適範囲内にしてもよい。水は、液状濃厚組成物に基づいて約１５〜１７重量％の最適範囲で添加する。特に好ましい方法は、液状濃厚組成物に基づいて、約８３重量％のCOMPERLAN（登録商標） CMEAを供給する工程、並びに約１６重量％の水および約１重量％の付加的なグリセロールを添加する工程（約７４重量％のＣＭＥＡを供給する工程、並びに約１６重量％の水および約１０重量％のグリセロールを添加する工程に相当）を含む。好ましくは、この方法の液状濃厚組成物は、５０℃で約１８０００ｃｐｓ以下のブルックフィールド粘度を有する。
【００３２】
コカミドモノエタノールアミド液状組成物の第二の製造方法は、
（ａ）所定量のコカミドモノエタノールアミドを供給する工程、
（ｂ）液状組成物に基づいて、約１５〜１７重量％の水および約１０〜１２重量％のグリセロールを添加する工程、および
（ｃ）少なくとも５０℃の温度に加熱して混合する工程
を含み、液状組成物は、５５℃未満の温度で、特に約５０℃で均質、ポンプ輸送可能および安定である。
好ましくは、この方法は、液状組成物に基づいて約１６重量％の水および約１０重量％のグリセロールを、ＣＭＥＡに添加する工程を含む。好ましくは、この方法の液状濃厚組成物は、５０℃で約１８０００ｃｐｓ以下のブルックフィールド粘度を有する。
【００３３】
本発明の特に好ましい態様は、特定の成分のみからなる液状組成物、または特定の工程のみからなる液状組成物の製造方法である。
【００３４】
従って、本発明の１つの特に好ましい態様は、液状組成物に基づいて、
（ａ）約７１〜７６重量％のコカミドモノエタノールアミド、
（ｂ）約１５〜１７重量％の水、および
（ｃ）約１０〜１２重量％のグリセロール
からなり、５５℃未満の温度で、特に約５０℃で均質、ポンプ輸送可能および安定であるＣＭＥＡ液状組成物を対象とする。
【００３５】
本発明の最も好ましい態様は、液状組成物に基づいて、
（ａ）約７４重量％のコカミドモノエタノールアミド、
（ｂ）約１６重量％の水、および
（ｃ）約１０重量％のグリセロール
からなる。この液状濃厚組成物は、好ましくは、５０℃で約１８０００ｃｐｓ以下のブルックフィールド粘度を有する。
【００３６】
コカミドモノエタノールアミド液状組成物の特に好ましい第一の製造方法は、
（ａ）コカミドモノエタノールアミドとグリセロールからなる混合物を供給する工程、
（ｂ）水を添加する工程、
（ｃ）任意に、付加的なグリセロールを添加する工程、および
（ｄ）少なくとも５０℃の温度に加熱して混合する工程
からなり、液状組成物は、５５℃未満の温度で、好ましくは約５０℃で均質、ポンプ輸送可能および安定である。
【００３７】
好ましくは、ＣＭＥＡおよびグリセロールからなる混合物（ａ）は、市販品COMPERLAN（登録商標） CMEAに代表される、約８９重量％のＣＭＥＡおよび約１１重量％のグリセロールである。混合物（ａ）が、液状濃厚組成物に基づいて約８０〜８５重量％存在するとき、液状濃厚組成物に基づいて、ＣＭＥＡは約７１〜７６重量％の最適重量範囲で存在し、グリセロールは約９重量％存在する。場合により、液状濃厚組成物に基づいて、約１〜３％のグリセロールを更に添加して、グリセロール含量を約１０〜１２％の最適範囲内にしてもよい。水は、液状濃厚組成物に基づいて約１５〜１７重量％の最適範囲で添加する。最も好ましい方法は、液状濃厚組成物に基づいて、約８３重量％のCOMPERLAN（登録商標） CMEAを供給する工程、並びに約１６重量％の水および約１重量％の付加的なグリセロールを添加する工程（約７４重量％のＣＭＥＡを供給する、並びに約１６重量％の水および約１０重量％のグリセロールを添加する工程に相当）からなる。好ましくは、この方法の液状濃厚組成物は、５０℃で約１８０００ｃｐｓ以下のブルックフィールド粘度を有する。
【００３８】
コカミドモノエタノールアミド液状組成物の特に好ましい第二の製造方法は、
（ａ）所定量のコカミドモノエタノールアミドを供給する工程、
（ｂ）液状組成物に基づいて、約１５〜１７重量％の水および約１０〜１２重量％のグリセロールを添加する工程、および
（ｃ）少なくとも５０℃の温度に加熱して混合する工程
からなり、液状組成物は、５５℃未満の温度で、特に約５０℃で均質、ポンプ輸送可能および安定である。
好ましくは、この方法は、液状組成物に基づいて約１６重量％の水および約１０重量％のグリセロールを、ＣＭＥＡに添加する工程からなる。好ましくは、この方法の液状濃厚組成物は、５０℃で約１８０００ｃｐｓ以下のブルックフィールド粘度を有する。
【実施例】
【００３９】
表１に示すように、ＣＭＥＡ液状組成物の望ましい安定性および粘度特性は、先に開示した、成分が狭い百分率範囲内にある場合にのみ得られた。例えば、（グリセロールの添加を伴わない）COMPERLAN（登録商標） CMEAおよび１５〜２０％の水からなる液状濃厚組成物は、１５％の水を含む組成物（実施例１）についてのみ望ましい相安定性を示した。更なるグリセロール１〜３％を添加すると相安定性が向上し、付加的なグリセロール１％と水１６％との組み合わせ（実施例５）は、相安定性と低粘性との望ましい組み合わせを示した。図１および２は、実施例５（図１）並びに実施例２および３（図２）についての、温度に対する粘度のグラフを示す。
【００４０】
データは示していないが、５０℃での初期粘度の順序は、実施例１＞実施例６＞実施例５であった。
【００４１】
【表１】
2013521999.tif 000003
【００４２】
表２は、５０℃で６週間にわたる、実施例５の色安定性を示す。この液状組成物は、流動する温度６５℃で保持したCOMPERLAN（登録商標） CMEAよりはるかに色安定であった。
【００４３】
【表２】
2013521999.tif 000004
【００４４】
５０℃での粘度、相安定性および色安定性の望ましいバランスは、実施例５において実現した。従って、本発明の最も好ましい組成物は、液状濃厚組成物に基づいて８３％のCOMPERLAN（登録商標） CMEA、１６％の水および１％の付加的なグリセロールからなる。これは、液状組成物に基づいて７４％のＣＭＥＡ、１６％の水および１０％のグリセロールからなる組成物に相当する。
【図１】
2013521999.tif 000005
【図２】
2013521999.tif 000006
【国際調査報告】
2013521999.tif 000007
2013521999.tif 000008
2013521999.tif 000009
2013521999.tif 000010